(57)【特許請求の範囲】
【請求項１】
ＡＣ電源から各部に供給するＤＣ電源を生成するＤＣ電源回路と、磁気テープを巻き取りあるいは供給する第１、第２のリールと、前記ＤＣ電源回路からのＤＣ電源が供給されなくなったときに、前記第１、第２のリールを制動する制動手段と、ＡＣ電源の遮断を検出する電源遮断検出回路と、磁気テープの走行速度を制御する速度制御手段とを備え、
前記速度制御手段は、磁気テープの走行モードにおける前記電源遮断検出回路の検出出力に応答して磁気テープの走行速度を減速させる際、走行モードから停止モードに移行する通常の減速よりも早い減速とすることを特徴とする磁気記録再生装置。
【請求項２】
前記走行モードが、早送り／巻き戻しモードであり、前記速度制御手段は、前記第１、第２のリールを駆動するリール駆動モータを制御して磁気テープの走行速度を制御するとともに、早送り／巻き戻しモードにおける前記電源遮断検出回路の検出出力に応答して磁気テープの走行速度を減速させる請求項１記載の磁気記録再生装置。
【請求項３】
前記電源遮断検出回路は、ＡＣ電源の遮断の有無に対応した検出出力を与えるものであり、
速度制御手段は、ＡＣ電源の遮断に対応した第１の検出出力に応答して磁気テープの走行速度を減速させている減速中に、前記電源遮断検出回路からのＡＣ電源の復帰に対応した第２の検出出力が与えられると、減速を止めてそのときの磁気テープの走行速度を維持する請求項１記載の磁気記録再生装置。
【請求項４】
前記電源遮断検出回路は、ＡＣ電源の遮断の有無に対応した検出出力を与えるものであり、
速度制御手段は、ＡＣ電源の遮断に対応した第１の検出出力に応答して磁気テープの走行速度を減速させている減速中に、前記電源遮断検出回路からのＡＣ電源の復帰に対応した第２の検出出力が与えられると、磁気テープの走行速度を加速して元の設定速度に戻す請求項１記載の磁気記録再生装置。
【発明の詳細な説明】
【０００１】
【発明の属する技術分野】
本発明は、ビデオテープレコーダなどの磁気記録再生装置に関する。
【０００２】
【従来の技術】
図３は、従来例のビデオテープレコーダの概略構成図であり、同図において、磁気テープ３は、ガイドポスト４，５を介してドラム６に巻掛けられて供給側リール１および巻き取り側リール２によって供給あるいは巻き取られる。
【０００３】
供給側リール１および巻き取り側リール２は、供給側リールモータ９および巻き取り側リールモータ１０によってそれぞれ回転駆動される供給側リール台２２および巻き取り側リール台２３の上部にそれぞれ嵌合している。周波数信号発生器（ＦＧ）１１，１２は、各リールモータ９，１０の回転速度に応じた周波数の正弦波信号をそれぞれ発生し、波形整形回路１７，１８でパルス信号（ＦＧ信号）に波形整形された後、マイコン１９０に与えられる。
【０００４】
各リール台２２，２３に接触することで制動力を付与するブレーキパッド２４，２５は、ソレノイド７，８によって駆動され、これらソレノイド７，８は、マイコン１９０からの駆動指令信号によって駆動回路１３，１４を介して駆動される。  ＤＣ電源回路２０は、ＡＣ電源より各ＤＣ電源を生成して各回路ブロックに供給している。
【０００５】
モード指令信号によりＦＦ（早送り）またはＲＥＷ（巻き戻し）指令が来ると、マイコン１９０では波形整形回路１７，１８からのＦＧ信号に基づいて、磁気テープ３の走行速度が一定になるように巻き取り側リールモータ１０の回転速度を、駆動回路１６を介して制御する。また、可動ポスト２６が立設されているレバーに付設されている磁石２８の変位量を磁気センサー２９により検出し、マイコン１９０のＡ／Ｄ入力から取り込み、磁気テープ３のテンションが一定になるように供給側リールモータ９のトルクを、駆動回路１５を介して制御している。なお、ＦＦ時には、磁気テープ３は、巻き取り側リール２に巻き取られ、ＲＥＷ時には、磁気テープ３は、供給側リール１に巻き取られる。
【０００６】
磁気テープ３の走行中はソレノイド７，８は、いずれも吸引側に動作しており、ブレーキパッド２４，２５が各リール台２２，２３に接触しないように制御されている。
【０００７】
かかるＦＦ／ＲＥＷモード中にＡＣ電源の停電が生じると、このＡＣ電源に基づくＤＣ電源回路２０から各回路ブロックへ供給されるＤＣ電源の供給も断たれることになり、これによって、各リールモータ９，１０の駆動も停止されるが、慣性によって高速回転しており、一方、ソレノイド７，８が、ＤＣ電源が断たれたことで復帰側に動作することにより、ブレーキパッド２４，２５がリール台２２，２３に接触し、その摩擦力によりリールモータ９，１０に制動力が働き、磁気テープ３の走行速度は急激に減速して停止することになる。
【０００８】
【発明が解決しようとする課題】
このような従来の磁気記録再生装置では、供給側と巻き取り側とでリールに巻かれている磁気テープの量が大きく異なる場合、あるいは、バラツキで供給側と巻き取り側でブレーキパッドの摩擦力に差がある場合、また、周囲温度などの使用環境によりブレーキパッドの摩擦力が大きく変化したような場合には、供給側と巻き取り側とでブレーキパッドによる制動力が均衡せず、ＦＦ／ＲＥＷモードにおける停電による停止の際に、磁気テープが大きく弛んだり、逆に強く張ったりしてテープダメージが発生することがある。
【０００９】
かかるテープダメージは、磁気テープの走行速度が速いＦＦ／ＲＥＷモードにおける停電の場合が顕著であるが、通常の記録再生モードにおける停電の場合にも生じるものである。
【００１０】
本発明は、上述の点に鑑みて為されたものであって、磁気テープの走行中に生じた停電によるテープダメージを低減することを目的としている。
【００１１】
【課題を解決するための手段】
この課題を解決するために本発明は、ＡＣ電源から各部に供給するＤＣ電源を生成するＤＣ電源回路と、磁気テープを巻き取りあるいは供給する第１、第２のリールと、前記ＤＣ電源回路からのＤＣ電源が供給されなくなったときに、前記第１、第２のリールを制動する制動手段と、ＡＣ電源の遮断を検出する電源遮断検出回路と、磁気テープの走行速度を制御する速度制御手段とを備え、前記速度制御手段は、磁気テープの走行モードにおける前記電源遮断検出回路の検出出力に応答して磁気テープの走行速度を減速させる際、走行モードから停止モードに移行する通常の減速よりも早い減速とするものである。
【００１２】
これにより、ＦＦ／ＲＥＷなどの磁気テープの走行中に、停電が発生してＡＣ電源が遮断されると、磁気テープの走行速度が減速されるので、ＡＣ電源の遮断から制動手段にＤＣ電源が供給されなくなって第１，第２のリールの制動を開始するまでの間に、磁気テープの走行速度を落とすことができ、制動によるテープダメージが低減され、磁気テープが弛んだり、強く張ったりすることなく、安定して磁気テープを停止させることができる。
【００１３】
【発明の実施の形態】
本発明の請求項１に記載の発明は、ＡＣ電源から各部に供給するＤＣ電源を生成するＤＣ電源回路と、磁気テープを巻き取りあるいは供給する第１、第２のリールと、前記ＤＣ電源回路からのＤＣ電源が供給されなくなったときに、前記第１、第２のリールを制動する制動手段と、ＡＣ電源の遮断を検出する電源遮断検出回路と、磁気テープの走行速度を制御する速度制御手段とを備え、前記速度制御手段は、磁気テープの走行モードにおける前記電源遮断検出回路の検出出力に応答して磁気テープの走行速度を減速させる際、走行モードから停止モードに移行する通常の減速よりも早い減速とするので、ＡＣ電源の遮断から制動手段にＤＣ電源が供給されなくなって第１、第２のリールの制動を開始するまでの間に、磁気テープの走行速度を十分に落とすことができ、制動によるテープダメージを一層低減できることになる。
【００１４】
ここで、走行モードとは、磁気テープを走行させるモードをいい、記録モード、再生モード、早送りモード、巻き戻しモードなどをいう。
【００１５】
請求項２に記載の発明は、前記走行モードが、早送り／巻き戻しモードであり、前記速度制御手段は、前記第１，第２のリールを駆動するリール駆動モータを制御して磁気テープの走行速度を制御するとともに、早送り／巻き戻しモードにおける前記電源遮断検出回路の検出出力に応答して磁気テープの走行速度を減速させるものであり、磁気テープの走行速度が速いために、ＡＣ電源の遮断による停止の際のテープダメージが大きかった早送り／巻き戻しモードにおいて、テープダメージ低減の効果が顕著となる。
【００１６】
請求項３に記載の発明は、前記電源遮断検出回路は、ＡＣ電源の遮断の有無に対応した検出出力を与えるものであり、速度制御手段は、ＡＣ電源の遮断に対応した第１の検出出力に応答して磁気テープの走行速度を減速させている減速中に、前記電源遮断検出回路からのＡＣ電源の復帰に対応した第２の検出出力が与えられると、減速を止めてそのときの磁気テープの走行速度を維持するものであり、制動手段へのＤＣ電源の供給が断たれないような短い時間のＡＣ電源の瞬停においては、減速した走行速度に維持されるので、例えば、元の走行速度に加速する場合に比べて、次のモード指令への対応が容易となる。
【００１７】
請求項４に記載の発明は、前記電源遮断検出回路は、ＡＣ電源の遮断の有無に対応した検出出力を与えるものであり、速度制御手段は、ＡＣ電源の遮断に対応した第１の検出出力に応答して磁気テープの走行速度を減速させている減速中に、前記電源遮断検出回路からのＡＣ電源の復帰に対応した第２の検出出力が与えられると、磁気テープの走行速度を加速して元の設定速度に戻すものであり、制動手段へのＤＣ電源の供給が断たれないような短い時間のＡＣ電源の瞬停においては、瞬停前と全く同じ状態に速やかに復帰させることができる。
【００１９】
以下、本発明の実施の形態について、図１および図２を用いて説明する。
【００２０】
図１は本発明の一つの実施の形態に係る磁気記録再生装置としてのビデオテープレコーダの概略構成を示すブロック図であり、図３の従来例に対応する部分には、同一の参照符号を付す。
【００２１】
同図において、磁気テープ３は、ガイドポスト４，５を介してドラム６に巻掛けられて第１，第２のリールとしての供給側リール１および巻き取り側リール２によって供給あるいは巻き取られる。
【００２２】
供給側リール１および巻き取り側リール２は、供給側リールモータ９および巻き取り側リールモータ１０によってそれぞれ回転駆動される供給側リール台２２および巻き取り側リール台２３の上部にそれぞれ嵌合している。周波数信号発生器（ＦＧ）１１，１２は、各リールモータ９，１０の回転速度に応じた周波数の正弦波信号をそれぞれ発生し、波形整形回路１７，１８でパルス信号（ＦＧ信号）に波形整形された後、各部を制御するマイコン１９に与えられる。
【００２３】
各リール台２２，２３に接触することで制動力を付与するブレーキパッド２４，２５は、ソレノイド７，８によって駆動され、これらソレノイド７，８は、マイコン１９からの駆動指令信号によって駆動回路１３，１４を介して駆動される。  ＤＣ電源回路２０は、ＡＣ電源より各ＤＣ電源を生成して各回路ブロックに供給している。
【００２４】
モード指令信号によりＦＦまたはＲＥＷ指令が来ると、マイコン１９では波形整形回路１７，１８からのＦＧ信号に基づいて、磁気テープ３の走行速度が一定になるように巻き取り側リールモータ１０の速度を、駆動回路１６を介して制御する。また、可動ポスト２６が立設されたレバーに付設されている磁石２８の変位量を磁気センサー２９により検出し、マイコン１９のＡ／Ｄ入力から取り込み、磁気テープ３のテンションが一定になるように供給側リールモータ９のトルクを、駆動回路１５を介して制御している。なお、ＦＦ時には、磁気テープ３は、巻き取り側リール２に巻き取られ、ＲＥＷ時には、磁気テープ３は、供給側リール１に巻き取られる。
【００２５】
磁気テープ３の走行中はソレノイド７，８は、いずれも励磁されて吸引側に動作しており、ブレーキパッド２４，２５が各リール台２２，２３に接触しないように制御されている。駆動回路１３，１４、ソレノイド７，８およびブレーキパッド２４，２５によって供給側リール１および巻き取り側リール２を、各リール台２２，２３を介して制動する制動手段が構成され、この制動手段は、停電によってＡＣ電源が遮断された後、例えば約１００ｍｓ後にＤＣ電源回路２０からのＤＣ電源の供給が断たれると、ソレノイド７，８が復帰側に動作してブレーキパッド２４，２５がリール台２２，２３に接触し、その摩擦力によりリールモータ９，１０に制動力を働かせるものである。なお、前記約１００ｍｓの時間遅れは、ＤＣ電源回路２０で使用されるコンデンサの容量などによって規定されるものである。
【００２６】
以上の構成は、図３の従来例と同様である。
【００２７】
この実施の形態では、ＦＦ／ＲＥＷモードにおいて、停電によってＡＣ電源が遮断され、このＡＣ電源の遮断によってＤＣ電源回路２０から各回路ブロックへのＤＣ電源の供給が断たれてソレノイド７，８が、復帰側に動作することにより、ブレーキパッド２４、２５が、慣性によって高速回転しているリール台２２、２３に接触して制動したときの磁気テープ３のテープダメージを低減するために、次のように構成している。
【００２８】
すなわち、この実施の形態では、ＡＣ電源の遮断の有無を検出して対応する出力を与えるＡＣ電源遮断検出回路２１を備えており、このＡＣ電源遮断検出回路２１の検出出力が、磁気テープ３の走行速度を制御する速度制御手段としての機能を有するマイコン１９に与えられるようになっている。
【００２９】
このＡＣ電源遮断検出回路２１は、交流入力を整流した直流電圧のレベルを基準レベルと比較して基準レベル以上であるときには、ＡＣ電源は遮断されていないとしてハイレベルの検出出力を与え、基準レベル未満であるときには、ＡＣ電源が遮断されたとしてローレベルの検出出力を与えるものである。
【００３０】
速度制御手段としての機能を備えるマイコン１９は、ＦＦ／ＲＥＷモードにおいて、ＡＣ電源遮断検出回路２１からＡＣ電源遮断に対応するローレベルの検出出力が与えられると、それに応答して磁気テープ３の走行速度を減速させるものであり、これによって、ＡＣ電源の遮断からＤＣ電源が落ちてブレーキパッド２４，２５によって各リール台２２，２３の制動が開始されるまでの間に、磁気テープ３の走行速度を落として制動によるテープダメージを低減するものである。
【００３１】
このマイコン１９による減速処理は、例えば、５ｍｓごとに巻き取り側リールモータ１０の速度目標値を一定量ずつ下げることで実現することができる。このときの減速傾斜（減速の割合）は、ＦＦ／ＲＥＷから停止するときの通常の減速傾斜に設定してもよいし、通常よりも急な減速傾斜に設定してもよいが、テープダメージを低減するためには、急激な減速傾斜が好ましい。
【００３２】
図２は、この実施の形態のＦＦ／ＲＥＷ中に停電によってＡＣ電源が遮断されたときの動作を示すタイミングチャートであり、同図において、（ａ）はＡＣ電源遮断検出回路２１においてＡＣ電源を整流した直流電圧、（ｂ）はＡＣ電源遮断検出回路２１の検出出力、（ｃ）はＤＣ電源回路からのＤＣ電源、（ｄ）は磁気テープ３の走行速度、（ｅ）はソレノイド７に与えられる駆動電圧、（ｆ）はソレノイド８に与えられる駆動電圧をそれぞれ示している。
【００３３】
同図（ａ）に示すように、停電によりＡＣ電源の整流出力のレベルが、基準レベルである約７０％に低下したところで、ＡＣ電源遮断検出回路２１は、同図（ｂ）に示されるように、ＡＣ電源の遮断に対応する第１の検出出力としてローレベルの検出出力を与える。この検出出力を受けて、マイコン１９は、磁気テープ３の走行速度を、同図（ｄ）に示されるように減速する。その約１００ｍｓ後に、同図（ｃ）に示されるように各回路ブロックに供給されるＤＣ電源の電圧レベルが低下する。その結果、ソレノイド７，８へ供給される駆動電圧も同図（ｅ），（ｆ）に示されるように低下し、ソレノイド７，８は復帰動作をし、ブレーキパッド２４，２５が各リール台２２，２３に接触し、その摩擦力により各リールモータ９，１０に制動力が働き、磁気テープ３の走行速度は途中から急激に減速する。
【００３４】
このように停電によってＡＣ電源が遮断されたときには、磁気テープ３の走行速度を減速させるので、ＡＣ電源が遮断されてからＤＣ電源の供給が断たれてソレノイド７，８が復帰してブレーキパッド２４，２５による制動が開始されるまでの間に、磁気テープ３の走行速度を落とすことができ、磁気テープ３の走行速度を減速させない従来例に比べて制動による磁気テープ３のテープダメージを低減でき、磁気テープ３が大きく弛んだり、逆に強く張ったりすることなく、安定して磁気テープ３を停止させることができる。
【００３５】
なお、ＡＣ電源の遮断に対応する第１の検出出力としてのローレベルの検出出力に応答して磁気テープ３の走行速度を減速させている期間中に、ＡＣ電源が復帰するような瞬停においては、ＡＣ電源遮断検出回路２１からＡＣ電源の復帰に対応する第２の検出出力としてのハイレベルの検出出力が与えられると、マイコン１９は、減速を止めてそのときの走行速度に維持して次のモード指令に速やかに移行できるようにしてもよいし、あるいは、減速を止めて元のＦＦ／ＲＥＷの設定速度、すなわち、瞬停前のＦＦ／ＲＥＷの状態に戻るように走行速度を加速するようにしてもよい。
【００３６】
上述の実施の形態では、制御手段をマイコンで構成した例で説明したが、ゲートアレーやＰＬＤなどのハード回路で構成しても同様に実施可能である。
【００３７】
なお、上述の実施の形態では、ＦＦおよびＲＥＷのいずれのモードにおいても、ＡＣ電源の遮断に応答して磁気テープの走行速度を減速させたけれども、ＦＦまたはＲＥＷのいずれか一方のモードにおいてだけ、ＡＣ電源の遮断に応答して磁気テープの走行速度を減速させるようにしてもよい。
【００３８】
また、ＦＦ／ＲＥＷ以外の走行モード、すなわち、記録モードおよび再生モードにおいて、ＡＣ電源の遮断が検出されると、磁気テープの走行速度を減速するようにしてもよい。この場合は、キャプスタンモータを制御してキャプスタンの回転を制御することにより、磁気テープの走行速度を減速させるようにすればよい。
【００３９】
なお、制動手段としては、上述のようにブレーキパッドをリール台に押圧してその摩擦力で制動させるものに限らず、ギア等を用いて減速して制動させる構成であってもよい。
【００４０】
上述の実施の形態では、ビデオテープレコーダに適用して説明したけれども、本発明は、ビデオテープレコーダに限らず、オーディオテープレコーダなどの他の磁気記録再生装置に適用してもよい。
【００４１】
【発明の効果】
以上のように本発明によれば、早送りや巻き戻しなどの磁気テープの走行モードにおいて、停電によってＡＣ電源が遮断されると、磁気テープの走行速度を減速させるので、ＡＣ電源の遮断から制動手段によって第１，第２のリールの制動を開始するまでの間に、磁気テープの走行速度を落とすことができ、これによって、ＡＣ電源の遮断時に減速することなく制動をかける従来例に比べて制動によるテープダメージを低減できることになる。
【図面の簡単な説明】
【図１】本発明の一実施の形態に係る磁気記録再生装置のブロック図である。
【図２】図１の実施の形態のタイミングチャートである。
【図３】従来例のブロック図である。
【符号の説明】
１              供給側リール
２              巻き取り側リール
３              磁気テープ
１１，１２      周波数信号発生器
１９            マイコン
２１            ＡＣ電源遮断検出回路
２２            供給側リール台
２３            巻き取り側リール台
【図１】
0003556537.tif 000002
【図２】
0003556537.tif 000003
【図３】
0003556537.tif 000004